(57)【要約】【課題】コンデンサの絶縁抵抗測定を容易にしたチップ型ＣＲフィルタを提供する。【解決手段】絶縁基板１上に、入力電極２、出力電極３、第１グランド電極４ａ及び第２グランド電極４ｂを配置させ、入力電極２−出力電極３間に第１抵抗５を、入力電極２−第１グランド電極４ａ間に第２抵抗６を接続するとともに、入力電極２−第２グランド電極４ｂ間に第１抵抗５を介してコンデンサ７を接続し、第１グランド電極４ａ−第２グランド電極４ｂ間に第２抵抗６、第１抵抗５及びコンデンサ７を介在させて両グランド電極４ａ、４ｂを絶縁基板１上で電気的に分離せしめる。【選択図】図１
2004096256.tif 000002
【特許請求の範囲】
【請求項１】
絶縁基板上に、入力電極、出力電極、第１グランド電極及び第２グランド電極を配置させ、前記入力電極−出力電極間に第１抵抗を、前記入力電極−第１グランド電極間に第２抵抗を接続するとともに、前記入力電極−第２グランド電極間に前記第１抵抗を介してコンデンサを接続し、前記第１グランド電極−第２グランド電極間に前記第２抵抗、前記第１抵抗及び前記コンデンサを介在させて両グランド電極を絶縁基板上で電気的に分離せしめたことを特徴とするチップ型ＣＲフィルタ。
【請求項２】
前記第１抵抗及び第２抵抗が絶縁基板の一主面に、前記コンデンサが絶縁基板の他主面に配置されていることを特徴とする請求項１に記載のチップ型ＣＲフィルタ。
【請求項３】
前記絶縁基板が略矩形状をなすように形成されているとともに、前記入力電極及び第１グランド電極が絶縁基板の一辺に沿って、前記出力電極及び第２グランド電極が絶縁基板の前記一辺と平行な他辺に沿って配置されていることを特徴とする請求項１または請求項２に記載のチップ型ＣＲフィルタ。
【発明の詳細な説明】
【０００１】
【発明の属する技術分野】
本発明は、情報機器等のノイズフィルタ等に用いられるチップ型ＣＲフィルタに関するものである。
【０００２】
【従来の技術】
従来より、情報機器等にはノイズフィルタが用いられている。
このような従来のノイズフィルタは、例えば図５に示すように、入力電極４２から出力電極４３の間に、バイパスとなるコンデンサ４７と時定数を決める抵抗４５から成るローパスフィルタ部と、インピーダンス整合用の抵抗４６とを備えてなり、コンデンサ（Ｃ）４７と抵抗（Ｒ）４５、４６とを含む回路構成となっていることから、一般にＣＲフィルタと呼ばれている。
【０００３】
かかる従来のＣＲフィルタの構造を図６に示す。同図に示すＣＲフィルタは、絶縁基板４１上に、抵抗４５、４６やコンデンサ４７以外に、入力電極４２、出力電極４３及びグランド電極４４を設けて全体構造をチップ状になしてあり、端面電極９や下面に形成した電極（図示せず）を介して外部の電気回路と電気的に接続される。
【０００４】
なお、上述したＣＲフィルタのコンデンサ４７は、一方の端子電極に接続される下部電極上に、厚膜誘電体膜、上部電極を夫々重畳することによって形成され、抵抗４５，４６は、互いに対向しあう電極間に、厚膜抵抗体膜を被着・形成することによって形成されている。
【０００５】
【発明が解決しようとする課題】
しかしながら、上述したチップ型ＣＲフィルタによれば、抵抗４５やコンデンサ４７から成るローパスフィルタ部とインピーダンス整合用の抵抗４６とでグランド電極４４を共有する形となっており、抵抗４６−入力電極４２−抵抗４５−コンデンサ４７−グランド電極４４でループ経路を形成している。このため、製造されたチップ型ＣＲフィルタを検査する工程においてコンデンサ４７の絶縁抵抗値を測定しようとしても、グランド電極４４と出力電極４３に測定用プローブを当てて測定するという手法ではコンデンサ４７の絶縁抵抗値を測定することができず、良品・不良品の判別作業が極めて困難なものとなっていた。
【０００６】
本発明は、上述の問題点に鑑みて案出されており、その目的はコンデンサの絶縁抵抗測定を容易に行うことができるチップ型ＣＲフィルタを提供することにある。
【０００７】
【課題を解決するための手段】
本発明のチップ型ＣＲフィルタは、絶縁基板上に、入力電極、出力電極、第１グランド電極及び第２グランド電極を配置させ、前記入力電極−出力電極間に第１抵抗を、前記入力電極−第１グランド電極間に第２抵抗を接続するとともに、前記入力電極−第２グランド電極間に前記第１抵抗を介してコンデンサを接続し、前記第１グランド電極−第２グランド電極間に前記第２抵抗、前記第１抵抗及び前記コンデンサを介在させて両グランド電極を絶縁基板上で電気的に分離せしめたことを特徴とするものである。
【０００８】
また、本発明のチップ型ＣＲフィルタは、前記第１抵抗及び第２抵抗が絶縁基板の一主面に、前記コンデンサが絶縁基板の他主面に配置されていることを特徴とするものである。
【０００９】
更に、本発明のチップ型ＣＲフィルタは、前記絶縁基板が略矩形状をなすように形成されているとともに、前記入力電極及び第１グランド電極が絶縁基板の一辺に沿って、前記出力電極及び第２グランド電極が絶縁基板の前記一辺と平行な他辺に沿って配置されていることを特徴とするものである。
【００１０】
本発明のチップ型ＣＲフィルタによれば、第１グランド電極−第２グランド電極間に第２抵抗、第１抵抗及びコンデンサを介在させて両グランド電極を絶縁基板上で電気的に分離せしめたことにより、ローパスフィルタ部とインピーダンス整合用の抵抗とでループ経路を形成することなくＣＲフィルタを構成することができるようになり、コンデンサの絶縁抵抗値を容易に測定することが可能となる。
【００１１】
また、本発明のチップ型ＣＲフィルタによれば、第１抵抗及び第２抵抗を絶縁基板の一主面に、表面の凹凸が比較的大きなコンデンサの厚膜誘電体膜を絶縁基板の他主面に配置させることにより、第１抵抗、第２抵抗を形成する抵抗膜の印刷形成が安定する。従って、チップ型ＣＲフィルタの抵抗値バラツキを小さく抑えることができる。
【００１２】
更に、本発明のチップ型ＣＲフィルタによれば、絶縁基板を略矩形状に形成するとともに、入力電極及び第１グランド電極を絶縁基板の一辺に沿って、出力電極及び第２グランド電極を絶縁基板の前記一辺と平行な他辺に沿って配置させておくようにしておけば、チップ型ＣＲフィルタを前記一辺や前記他辺と平行な方向に多連に繋げてチップ型ＣＲフィルタを構成する場合にも容易に対応することができ、技術の汎用性が高められる。
【００１３】
【発明の実施の形態】
以下、本発明を添付図面に基づいて詳細に説明する。
図１は本発明の一実施形態に係るチップ型ＣＲフィルタの外観斜視図、図２は図１のチップ型ＣＲフィルタの回路図であり、図中の１は絶縁基板、２は入力電極、３は出力電極、４ａは第１グランド電極、４ｂは第２グランド電極、５は第１抵抗、６は第２抵抗、７はコンデンサである。
【００１４】
前記絶縁基板１は、例えばアルミナセラミックス等の電気絶縁性材料によって略矩形状をなすように形成されており、その一主面上には、第１抵抗５、第２抵抗６及びコンデンサ７が、その側面、具体的には、絶縁基板１の一辺と該辺に平行に配されている他辺に沿った２つの側面には内面に端面電極９を被着させた端面スルーホールが複数個設けられ、これらを支持する支持母材として機能する。
【００１５】
尚、上述した絶縁基板１の端面スルーホールは、本実施形態においては各側面に２個ずつ、計４個設けられており、これらの端面スルーホール内に形成されている４個の端面電極９は、チップ型ＣＲフィルタをマザーボード等の外部電気回路上に搭載する際、外部接続用の端子電極、具体的には、入力電極２、出力電極３、第１グランド電極４ａ、第２グランド電極４ｂとしてそれぞれ機能するようになっている。
【００１６】
このような絶縁基板１は、アルミナ粉末等に適当な有機溶剤等を添加・混合して泥漿状になすとともに、これを従来周知のドクターブレード法等を採用することによってセラミックグリーンシートを形成し、しかる後、得られたグリーンシートを高温で焼成し、外形加工することによって製作される。このとき、大型のセラミック基板から複数個の絶縁基板１を切り出して複数個の絶縁基板１を同時に得る“多数個取り”の手法を採用して絶縁基板１を製作するようにすれば、チップ型ＣＲフィルタの生産性向上に供することができる。
【００１７】
また、上述した絶縁基板１上に配されている入力電極２、出力電極３、第１グランド電極４ａ、第２グランド電極４ｂ、第１抵抗５、第２抵抗６及びコンデンサ７は、入力電極２−出力電極３間に第１抵抗５が接続され、入力電極２−第１グランド電極４ａ間に第２抵抗６が接続され、入力電極２−第２グランド電極４ｂ間に第１抵抗を介してコンデンサ７が接続されるように相互に結線されており、これによって所定のＣＲフィルタを構成している。
【００１８】
このようなＣＲフィルタは、バイパスとなるコンデンサ７と時定数を決める第１抵抗５とでローパスフィルタ部を構成し、第２抵抗６によってインピーダンス整合をとるようになっており、前記第１抵抗５及び第２抵抗６は、例えば酸化ルテニウムを主成分とする電気抵抗材料によって５〜１５μｍの厚みをもって形成され、コンデンサ７は、例えばＢａＴｉＯ３を主成分とする誘電体材料によって２５〜４５μｍの厚みをもって形成される。
【００１９】
尚、このような第１抵抗５、第２抵抗６及びコンデンサ７は従来周知の厚膜手法を採用することによって形成される。例えば、第１抵抗５及び第２抵抗６は、絶縁基板１の一主面上に所定の抵抗ペーストを従来周知のスクリーン印刷法等を採用することによって所定パターンに印刷・塗布し、これを高温で焼き付けることによってそれぞれ形成され、一方、コンデンサ７は、所定の誘電体材料を含む誘電体ペーストを絶縁基板一主面の下部電極上に従来周知のスクリーン印刷法等によって印刷・塗布するとともに、これを高温で焼成し、その上に上部電極を被着させることによって下部電極と上部電極とで挟まれた領域に所定の静電容量をもったコンデンサ７が形成される。
【００２０】
そして、上述したチップ型ＣＲフィルタは、第１グランド電極４ａ−第２グランド電極４ｂ間に、第２抵抗６、第１抵抗５及びコンデンサ７を直列的に介在させることによって両グランド電極４ａ，４ｂを絶縁基板１上で電気的に分離せしめている。
【００２１】
即ち、コンデンサ７及び第１抵抗５から成るローパスフィルタ部とインピーダンス整合用の第２抵抗６とでループ経路を形成することなくＣＲフィルタを構成しているため、製造されたチップ型ＣＲフィルタを検査する工程では、出力電極３と第２グランド電極４ｂに測定用プローブを当てるという簡単な手法によりコンデンサ７の絶縁抵抗値を正確に測定することができ、良品・不良品の判別作業が極めて容易になる。
【００２２】
またこの場合、入力電極２及び第１グランド電極４ａは絶縁基板１の一辺１８に沿って、出力電極３及び第２グランド電極４ｂは前記一辺と平行な他辺１９に沿って配置させてあるため、チップ型ＣＲフィルタを絶縁基板１の前記一辺や前記他辺と平行な方向に多連に繋げてチップ型ＣＲフィルタを構成する場合にも容易に対応することができ、技術の汎用性が高められる。具体的には、２連のＣＲフィルタを構成する場合は、図４に示す如く、グランド電極４ａ、４ｂを共有するようにして２個のＣＲフィルタ回路を絶縁基板１上に並設すれば良く、４連のＣＲフィルタを構成する場合は、図４のチップ型ＣＲフィルタをさらに２個並べることで容易に構成することができる。
【００２３】
尚、入力電極２、出力電極３、第１グランド電極４ａ及び第２グランド電極４ｂやこれらを相互に接続する導体パターンの材質としては、例えばＡｇを主成分とする導体材料が用いられ、従来周知の厚膜手法等を採用することによって例えば５〜１５μｍの厚みをもって所定パターンに被着・形成される。また、半田が接合される箇所、具体的には、チップ型ＣＲフィルタをマザーボード等に搭載する際にチップ型ＣＲフィルタの端子電極となる端面電極９等の表面には半田による導体食われを防止するためにＮｉメッキやＡｕメッキ、Ｓｎメッキ等が施される。
【００２４】
かくして上述したチップ型ＣＲフィルタ１０は、第１抵抗５により定められた時定数の高周波ノイズをコンデンサ７により第２グランド４ｂから除去するとともに、第２抵抗６によってインピーダンスの整合がとれたノイズフィルタとして機能する。
【００２５】
次に上述したチップ型ＣＲフィルタ１０の製造方法について説明する。
まず、アルミナセラミックから成る大型セラミックシートに、導体材料とビヒクルとから成る導体ペーストをスクリーン印刷によりパターン化し、８００〜９００℃で焼成することにより、各電極を形成する。このとき、スルーホールに形成する端面電極９についても、スクリーン印刷しながら大型セラミックシートから吸引することで同時に形成することが可能である。大型セラミックシートの下面に導体を形成するときは、別途、導体ペーストを印刷・焼成して形成する。
【００２６】
次に、絶縁基板１上にコンデンサ７用の下部電極を形成し、その上に、誘電体材料とビヒクルとから成る誘電体ペーストをスクリーン印刷・焼成することによりコンデンサ７を形成する。コンデンサ７の誘電体層は例えば２５〜４５μｍの厚みに形成され、スクリーン印刷・焼成を２〜３回繰り返すことによって２５〜４５μｍの厚みを実現することができる。尚、コンデンサ７上には更に上部電極がスクリーン印刷・焼成により被着・形成される。
【００２７】
次に、第１抵抗５及び第２抵抗６を形成する。第１抵抗５及び第２抵抗６は、抵抗体材料とビヒクルとから成る抵抗体ペーストを、２つの電極間に跨るようにスクリーン印刷・焼成することにより形成される。得られた第１抵抗５及び第２抵抗６は、所定の抵抗値及びその公差内にトリミングされる。トリミング工程には、ＹＡＧレーザー等を用いた従来周知のレーザートリミング法等が用いられる。
【００２８】
そして最後に、第１抵抗５、第２抵抗６等の上に保護膜（図示せず）が形成され、表面が露出した電極はメッキ処理される。このようにして、表面に所定の回路を構成する抵抗膜、導体膜及び誘電体膜が形成された大型セラミックシートを、主面に形成したスリットに沿って分割することで、チップ型ＣＲフィルタ１０が製作される。このとき、スリットを横断するようにスルーホールを横断するようにスリットを形成しておくことにより、内面に端面電極９を被着させた端面スルーホールが得られる。
【００２９】
尚、本発明は上述の実施形態に限定されるものではなく、本発明の要旨を逸脱しない範囲内において、種々の変更・改良などが可能である。
【００３０】
例えば、上述の実施形態においては第１抵抗５、第２抵抗６及びコンデンサ７を全て絶縁基板１の一主面側に配置させるようにしたが、これに代えて、図３に示す如く、第１抵抗５及び第２抵抗６を絶縁基板１の一主面に、コンデンサ７´（２３：下部電極、２４：誘電体層、２２：上部電極）を絶縁基板１の他主面に配置するようにしても良く、この場合、第１抵抗５、第２抵抗６を形成する抵抗膜の印刷形成が安定するため、チップ型ＣＲフィルタの抵抗値バラツキを小さく抑えることができる利点もある。従って、第１抵抗５及び第２抵抗６と、コンデンサ７´は、絶縁基板１の一主面、他主面に分けてそれぞれ配置させておくことが好ましい。
【００３１】
また、上述の実施形態においては、大型セラミックシートのスルーホール内面に導体パターンを被着させた後、大型セラミックシートをスルーホールの形成箇所で個々の絶縁基板１に分割し、絶縁基板１の側面に端面スルーホールを形成することで絶縁基板１の側面に端面電極９を設けるようにしたが、これに代えて、端面スルーホールを形成せずに、分割後の絶縁基板側面に導体パターンを形成することにより端面電極９を設けるようにしても構わない。
【００３２】
更に、上述の実施形態においては、コンデンサ７を形成した後で第１抵抗５及び第２抵抗６を形成するようにしたが、これに代えて、第１抵抗５及び第２抵抗６を形成した後でコンデンサ７を形成するようにしても良い。その場合、電極の表面にメッキを施す等して、誘電体層の形成に伴う熱処理によって先に形成した第１抵抗５や第２抵抗６の電極等の抵抗値が大きく変動することのないように配慮しておくことが好ましい。
【００３３】
【発明の効果】
本発明のチップ型ＣＲフィルタによれば、第１グランド電極−第２グランド電極間に第２抵抗、第１抵抗及びコンデンサを介在させて両グランド電極を絶縁基板上で電気的に分離せしめたことにより、ローパスフィルタ部とインピーダンス整合用の抵抗とでループ経路を形成することなくＣＲフィルタを構成することができるようになり、コンデンサの絶縁抵抗値を容易に測定することが可能となる。
【００３４】
また、本発明のチップ型ＣＲフィルタによれば、第１抵抗及び第２抵抗を絶縁基板の一主面に、表面の凹凸が比較的大きなコンデンサの厚膜誘電体膜を絶縁基板の他主面に配置させることにより、第１抵抗、第２抵抗を形成する抵抗膜の印刷形成が安定する。従って、チップ型ＣＲフィルタの抵抗値バラツキを小さく抑えることができる。
【００３５】
更に、本発明のチップ型ＣＲフィルタによれば、絶縁基板を略矩形状に形成するとともに、入力電極及び第１グランド電極を絶縁基板の一辺に沿って、出力電極及び第２グランド電極を絶縁基板の前記一辺と平行な他辺に沿って配置させておくようにしておけば、チップ型ＣＲフィルタを前記一辺や前記他辺と平行な方向に多連に繋げてチップ型ＣＲフィルタを構成する場合にも容易に対応することができ、技術の汎用性が高められる。
【図面の簡単な説明】
【図１】本発明の一実施形態に係るチップ型ＣＲフィルタの外観斜視図である。
【図２】図１のチップ型ＣＲフィルタの回路図である。
【図３】本発明の他の実施形態に係るチップ型ＣＲフィルタの断面図である。
【図４】本発明の他の実施形態に係るチップ型ＣＲフィルタの外観斜視図である。
【図５】従来のＣＲフィルタの回路図である。
【図６】従来のチップ型ＣＲフィルタの外観斜視図である。
【符号の説明】
１・・・・・・絶縁基板
２，１２・・・入力電極
３，１３・・・出力電極
４ａ・・・・・第１グランド電極
４ｂ・・・・・第２グランド電極
５・・・・・・第１抵抗
６・・・・・・第２抵抗
７，７´・・・コンデンサ
９・・・・・・端面電極
１８・・・・・絶縁基板の一辺
１９・・・・・絶縁基板の他辺
【図１】
2004096256.tif 000003
【図２】
2004096256.tif 000004
【図３】
2004096256.tif 000005
【図４】
2004096256.tif 000006
【図５】
2004096256.tif 000007
【図６】
2004096256.tif 000008